(57)【要約】 【課題】    油揚げ後の食品が内面から容易に剥離できるフライヤー用バスケットを得ることを課題としている。 【解決手段】  食品を収容するバスケット３の多数を無端状に連結してコンベヤを構成し、このコンベヤを熱油が充填された油槽を通過させることにより前記食品を油揚げするフライヤーにおいて、前記バスケット３を上部が開口した容器状にして周壁３３と多数の穴３４を設けた底３５とを備えたものとし、前記周壁３３は底３５に連続する下側の径よりも上部開口部の径を大きくして上広がりのテーパ状にするとともに、周壁３３の内面に上下方向に連続する溝３３１を周方向に多数形成し、この溝３３１の幅を底に近い下の位置よりも上部開口部に近づくほど上へ次第に広がるように形成した。 【選択図】  図４
2010264025.tif 000002
【特許請求の範囲】
【請求項１】
１食分その他適量の食品を収容するバスケットの多数を無端状に連結してコンベヤを構成し、このコンベヤを熱油が充填された油槽を通過させることにより前記食品を油揚げするフライヤーにおいて、上部が開口した容器状にして周壁と多数の穴を設けた底とを備え、前記周壁は底に連続する下側の径よりも上部開口部の径を大きくして上広がりのテーパ状にするとともに、周壁の少なくとも内面に上下方向に連続する溝を周方向に多数形成し、この溝の幅を底に近い下の位置よりも上部開口部に近づくほど上へ次第に広がるように形成したことを特徴とするフライヤー用バスケット。
【請求項２】
さらに前記溝の深さを底に近い下の位置よりも上部開口部に近づくほど上へ次第に深くなるように形成したことを特徴とする請求項１に記載のフライヤー用バスケット。
【発明の詳細な説明】
【技術分野】
【０００１】
この発明は、食品の製造ライン等に組み込まれ又は単独で使用されて食品を油揚げするフライヤーのバスケットに関する。
【背景技術】
【０００２】
従来のフライヤー用バスケットとしては、例えば特許文献１の特に図２に記載されたものがある。これは即席麺を対象の食品とした例であり、図６に示すように平行な２本の無端チェンＡ（１本は図示を省略）の間に架設する枠Ｂに複数のバスケットＣが固着されている。特許文献１では明示されていないが、従来のこの種のバスケットＣは鋼板をプレス加工により容器状に形成してなり、底に多数の穴が打ち抜き加工により開設されて、熱油が内部を通過できるようになっている。また、このバスケットＣの内面は、油揚げされた食品が貼りつくことを防止するためにポリフッ化エチレンがコーティングされているものもある。
【先行技術文献】
【特許文献】
【０００３】
【特許文献１】特開２００４−２２９９０６号公報
【発明の概要】
【発明が解決しようとする課題】
【０００４】
しかしながら、特許文献１に記載のフライヤー用バスケットによれば、バスケット内面が鋼板の面であるから平坦面になっているために、食品との接触面積が、油揚げ後にバスケットを上下逆にしても食品が落下できないほどの接着力がある面積となっていた。このため、バスケットに対する食品の接着力を低下させる目的で前記のようにポリフッ化エチレンがコーティングされている。しかし、このコーティングによっても食品の貼りつきを十分に防止することができなかったため、従来ではバスケットに衝撃を与えることにより食品をバスケットから剥離させようとしていた。
【０００５】
一方、コーティングされたポリフッ化エチレンは経時的な劣化等によりバスケットから剥離して、その結果バスケット内面の前記接着力が増大することがあり、そうすると食品が強固に張り付いて落下しないままバスケットが再度フライヤーの食品供給位置に至り、バスケット内に残った油揚げ後の食品の上にこれから油揚げする食品が新たに供給されるという不具合があり、これを防止するには人による監視が必要であって作業の無人化の障害になっていた。
そこでこの発明は、油揚げ後の食品が内面から容易に剥離できるフライヤー用バスケットを得ることを課題としている。
【課題を解決するための手段】
【０００６】
この発明のフライヤー用バスケットは次の通りとなっている。すなわち、１食分その他適量の食品を収容するバスケットの多数を無端状に連結してコンベヤを構成し、このコンベヤを熱油が充填された油槽を通過させることにより前記食品を油揚げするフライヤーにおいて、上部が開口した容器状にして周壁と多数の穴を設けた底とを備え、前記周壁は底に連続する下側の径よりも上部開口部の径を大きくして上広がりのテーパ状にするとともに、周壁の少なくとも内面に上下方向に連続する溝を周方向に多数形成し、この溝の幅を底に近い下の位置よりも上部開口部に近づくほど上へ次第に広がるように形成してフライヤー用バスケットを構成している。
【０００７】
前記溝は、前記のように上下に幅を変化させることに代えて、溝の深さを底に近い下の位置よりも上部開口部に近づくほど上へ次第に深くなるように形成してもよい。また、溝の幅を前記のように下が狭く且つ上が次第に広がるようにし、併せて溝の深さを前記のように下が浅く且つ上へ次第に深くなるようにすることも可能である。
周壁の溝は、周壁を波形に加工することにより内外に形成してもよいし、或いは別の手段によって周壁の内面にのみ形成してもよい。
【発明の効果】
【０００８】
この発明によれば、バスケットの周壁の内面に上下方向に連続する溝を周方向に多数設けたので周壁内面には多数の凹凸が形成されたため、溝と食品との間に隙間が形成されるようになったので、バスケットに対する食品の接触面積が大幅に減少した。そのため、バスケットに対する食品の接着力も減少したので、底に連続する下側の径よりも上部開口部の径を大きくして上広がりのテーパ状にしてあることもあって、油揚げ後にバスケットを上下逆にすると、食品は容易に下方へ排出されて次工程に円滑に供給することができる。溝と食品との間の前記隙間にはここにも油揚げ時に熱油が通過できるので、食品全体がさらに均一に油揚げされる効果もある。
【０００９】
さらに前記溝については、幅と深さを次のようにしている。つまり幅を、底に近い下が狭く開口部に近い上へ次第に広くなるように形成し、深さを、底に近い下が浅く上部開口部に近い上に近づくほど次第に深くなるように形成し、これらの幅の変化と深さ変化の両方又はいずれか一方を採用するものとしている。このため、バスケットを下向きにして食品を下方へ排出させるときには食品は溝から離れる態様をなすから、食品の下方への排出は円滑になされる。
【図面の簡単な説明】
【００１０】
【図１】図１はフライヤーのコンベヤの一部を示す平面図。
【図２】図２は図１の拡大部分図。
【図３】図３は図１の拡大正面図。
【図４】図４（ａ）はバスケットの部分断面図，同（ｂ）は同（ａ）のＡ−Ａ線断面    図、同（ｃ）は同（ａ）のＢ−Ｂ線断面図。
【図５】図５は溝の他の形態を示す図４（ｂ）に相当する断面図。
【図６】図６は従来例を示す分解斜視図。
【発明を実施するための形態】
【００１１】
図１は即席麺を製造するフライヤーのコンベヤの一部を示しており、図示しない油槽を無端状に連続して通過するようになっていて、平行な２本の無端チェン１（１本は図示を省略・ここではローラチェンが使用されている）間に架設される枠２に複数のバスケット３が固着され、無端チェン１の連続方向に進行するようになっている。よって、無端チェン１の一方（図１における上又は下）の連続方向がコンベヤの進行方向になる。なお、即席麺以外の食品を製造対象とすることも可能である。
【００１２】
枠２は２本の無端チェン１の間に、無端チェン１の長手方向に多数が連続配置されて架設されて全体としてパレットコンベヤのような形態をなすが、図１では一つの枠２のみが図示され、その左右方向の一部が省略されている。
枠２はここでは金属板により文字通りに長方形のフレームが形成されこれが左右のチェン１間に接続金具４を介して架設されている。その枠２内に複数のバスケット３が配置され、バスケット３のフランジ３１が枠２の上に載置された状態で、そのフランジ３１が枠２に溶接されている。溶接の部位は図２において符号３２で示される。なお、枠２の形態やバスケット３の枠２への固定手段については他のものも選択可能である。
【００１３】
バスケット３は金属板からなり、上部が開口しフランジ３１を備えた容器状をしていて、周壁３３と多数の穴３４を設けた底３５とを備え、前記周壁３３は底３５に連続する下側の径よりも上部開口部の径を大きくして上広がりのテーパ状になっている。また周壁３３には、底３５に近い部分とフランジ３１に近い部分を除いて、周壁３３の殆ど全面に多数の溝３３１を形成している。
【００１４】
溝３３１は周壁３３を波形に成型することにより成形し、周方向に凹凸を繰り返してなる。この溝３３１の幅は上部開口部に近い上が広く底３５に近づくほど下へ次第に狭く、また溝３３１の深さは上部開口部に近い上が深く底に近づくほど下へ次第に浅くなるように形成されている。ここでは溝３３１の幅と深さの両方を前記のように変化させたが、幅と深さの一方のみを前記のように変化させ、他方については上下にわたって変化しないように成形してもよい。また、この溝３３１は溝の表面の多くが平面になるように形成されていて、図４（ｂ）に示されるように断面が概略において鋸歯状をしている。
バスケット３の成型は、金属板を慣用されている絞り加工によりフランジ３１つきの容器状に成形した後に、その容器状の半製品の周壁を内外の型によってプレス加工して前記の波形に成型する。かくして波形の成型を絞り加工の後に行うことにより波形を所定通りの寸法に揃えて成型することができる。その後に底３５の穴３４を打ち抜いて形成する。
【００１５】
ここで、この実施の形態では、溝３３１は、図４（ａ）のＡ−Ａ線断面において幅Ｗ１が２．９５ｍｍ，深さＤ１が１．０ｍｍ，図４（ａ）のＢ−Ｂ線断面において幅Ｗ２が２．６ｍｍ，深さＤ２が０．５ｍｍとなっている。一般的な太さ、つまり横断面の径が０．８〜１．２ｍｍの容器入り即席麺の場合（偏平など円形以外の断面においては径の大きい部分において前記の寸法の径の場合）には、発明者の研究によれば、溝３３１の幅は１．０ｍｍ以上かつ４．２ｍｍ以下の範囲で、その深さは幅寸法の０．１６倍以上かつ０．４４倍以下の範囲の寸法であることが望ましいことが分かった。これらの範囲であると前記の一般的な太さの即席麺は、油揚げ後にバスケット３を上下逆にすることにより容易に下方へ排出されて次工程に円滑に供給することができる。その理由は、溝３３１が前記寸法の範囲内であれば、周壁３３内面と麺との間に隙間ができて接触面積を従来のバスケットよりも充分に狭くでき、バスケット３に対する麺の接着力を低下させることができたからであると推定できる。また、溝３３１が前記寸法の範囲内であれば、油揚げ後の即席麺の周面が平滑な円錐面にきれいに仕上げられて、溝３３１に起因する凹凸面は形成されない。これは、麺が溝３３１内に充分に入り込むことがないことを意味しており、麺が溝３３内面と接触する割合が少ないことの裏付けにもなっている。
【００１６】
即席麺を油揚げする場合には、バスケット３内の麺の水分が油熱により爆発的に蒸発されて気化し上昇するため麺には大きな浮力が作用する。このため、バスケット３内の麺は、油揚げ工程の初期のうちに、バスケット３上部で麺の密度が大になり同下部での麺の密度は低く粗になる。そこで、バスケット３の上部での溝３３１の深さが大であるから、麺の密度が大になる位置でも溝底まで深く入り込む麺は少なく、したがってバスケット３に対する麺の接触面積が小さくなる。また、バスケット３の下部での溝３３１の深さは小さくても、ここでは麺の密度が上部よりは粗であるために、バスケット３に対する麺の接触面積は小さくすることができる。
【００１７】
この油揚げ時に前記のようにバスケット３の周壁３３に対する麺の接触面積が小さくなることは、周壁３３と麺との間に隙間が多く形成されることを意味する。したがってこの隙間にも熱油が通るため麺全体が均一の油揚げされることになる。
また、バスケット３を上下逆にして油揚げ後の即席麺を下方に排出するときには、溝３３１は下の幅が広くなっているから、麺の一部が溝３３１内に入り込んでいても麺が溝３３１に挟まって停滞することなく排出される。
【００１８】
かかるバスケット３に蒸しなどの工程を経た柔軟な所定量の麺を投入した後、コンベヤの進行によりバスケット３に図示しない穴開きの蓋を施して油槽の熱油中を通過させる。するとその間に麺は油揚げされ、含有水分が蒸発されて硬化した状態でフライヤーの出口に至る。この段階では蓋は外されてバスケット３は上部が開口した状態になっていて、ここでコンベヤが反転するとバスケット３も下向きになり、油揚げされた状態の麺がバスケット３から次工程へと供給される。
【００１９】
ここで、バスケット３は麺の接触面積が大幅に減少したため、バスケット３に対する麺の接着力も減少したので、油揚げ後にバスケット３を上下逆にすると、麺は容易に落下することになり、仮にバスケット３内面に接着するものがあっても、枠２に軽い衝動を与えることで容易に落下できる。そのため、例えば無端チェン１のガイドに少し凹凸を設けておくなどの簡単な手段により自動的に枠２に衝動を与えることができ、バスケット３からの落下もれを防止し、油揚げ工程の無人化に貢献することができる。
図５は、周壁３３の波形を変えて溝３３１の内面を曲面にした例である。また溝３３１は図４ないし図５に記載した形状の他の断面形状にすることも可能である。
【符号の説明】
【００２０】
１      無端チェン
２      枠
３      バスケット
３３    周壁
３４    穴
３３１  溝   
【図１】
2010264025.tif 000003
【図２】
2010264025.tif 000004
【図３】
2010264025.tif 000005
【図４】
2010264025.tif 000006
【図５】
2010264025.tif 000007
【図６】
2010264025.tif 000008